(57)【要約】【課題】      健康によい靴下で、抗菌性および吸湿性があり、更に保温性もあり、しかも従来の靴下と同様に分厚くない靴下を提供する。【解決手段】  編み糸を表糸１とし、カバードヤーンまたはコアスパンヤーンを裏糸２として、靴下の少なくとも足底部１５および足甲部１３が編成されており、前記カバードヤーンまたはコアスパンヤーンはポリウレタン弾性糸を芯糸とし、竹繊維を主とする糸が被覆糸として前記芯糸に巻き付けられた構成であり、また竹繊維を主とする短繊維が前記芯糸に鞘状に巻き付けられた構成であり、靴下の足底部および足甲部の内面において前記竹繊維を主とする糸または前記竹繊維を主とする短繊維が現われていることを特徴とする靴下である。【選択図】    図１
0003122471.tif 000002
【実用新案登録請求の範囲】
【請求項１】
編み糸を表糸とし、カバードヤーンを裏糸として、靴下の少なくとも足底部および足甲部が編成されており、前記カバードヤーンはポリウレタン弾性糸を芯糸とし、竹繊維を主とする糸が被覆糸として前記芯糸に巻き付けられた構成であり、靴下の足底部および足甲部の内面において前記竹繊維を主とする糸が現われていることを特徴とする靴下。
【請求項２】
編み糸を表糸とし、コアスパンヤーンを裏糸として、靴下の少なくとも足底部および足甲部が編成されており、前記コアスパンヤーンはポリウレタン弾性糸を芯糸とし、竹繊維を主とする短繊維を紡績中に前記芯糸のまわりに巻き付けた構成であり、靴下の足底部および足甲部の内面において、前記竹繊維を主とする短繊維が現われていることを特徴とする靴下。
【請求項３】
前記表糸と裏糸とが添え糸編によって編成されていることを特徴とする請求項１または２記載の靴下。
【考案の詳細な説明】
【技術分野】
【０００１】
本考案は、靴下、特に、健康によい靴下に関するものである。
【背景技術】
【０００２】
従来の靴下は履いた人の足にフィットするように、編み糸（靴下における主となる糸）の他に、裏糸としてポリウレタン弾性糸にナイロン加工糸を巻き付けたカバードヤーン（カバードヤーンは芯糸にフィラメント糸または紡績糸を巻き付けた糸のこと）を使用しているものが多い。このようなカバードヤーンを使用したものは編み糸が靴下の外面に現われ、裏糸となるカバードヤーンが靴下の内面に現われている。従って、このようなカバードヤーンを用いたものは、カバードヤーンにおける被覆糸であるナイロン加工糸が内面全体に現われることになる。
【０００３】
一方、健康によい靴下の素材として絹糸などが多く使用されている。しかし、フィット感のある通常の靴下の場合は、前述したように裏糸としてカバードヤーンを使用しているため、編み糸に絹糸を使用したとしても絹糸が外側になり、足に直接触れるのはナイロンなどの合成繊維であり、絹糸の持つ吸湿性などの特性を発揮することができない。
【０００４】
このような問題を改善するために実用新案登録第３０１５１７４号公報（特許文献１）には、絹などの比較的摩擦に弱い天然繊維を用いた糸を表糸とし、比較的摩擦に強い合成繊維などの糸を裏糸としてプレーティング編立てを行って、表面が摩擦に弱い繊維、裏面が摩擦に強い繊維からなるソックスを形成する。その後、これを裏返して摩擦に弱い繊維を裏側にすることが提案されている。
【０００５】
また、実用新案登録第３０５５４５４号公報（特許文献２）には、乾燥防止用靴下が開示されている。この靴下は内層と外層との二重構造に構成された靴下であり、内層の靴下部と外層の靴下部は履き口部で繋がっており、内層の靴下部と外層の靴下部とが連続して編成されている。そして編成した後に、外層となる靴下部の中に内層となる靴下部を押込んで二重構造のものとしている。内層となる靴下部には吸湿性のある天然繊維、例えば絹糸などが使用されているものである。
【０００６】
同様の靴下として、実用新案登録第３０６８６１４号公報（特許文献３）には、保温靴下が開示されている。この保温靴下は前述した特許文献２のものと同様に内層の靴下部と外層の靴下部からなる二重構造のものである。そして内層の靴下部と外層の靴下部は履き口部のところで連続した状態で連続的に編成されるものである。そして保温効果のある絹糸などを用いて内層の靴下部を編成すること、および好ましくは内層の靴下部を編成する糸としてショーガなどに含まれるジンゲロンなどを配合した合成繊維からなる糸を用いて編成することが開示されている。このように二重構造にしたので保温性がよいとされている。
【特許文献１】実用新案登録第３０１５１７４号公報
【特許文献２】実用新案登録第３０５５４５４号公報
【特許文献３】実用新案登録第３０６８６１４号公報
【考案の開示】
【考案が解決しようとする課題】
【０００７】
前述した特許文献１に開示されているような靴下においては、表糸と裏糸で編成した後、靴下を裏返しして使用するので、外側の編目は通常の表目ではなく、裏目となっており、そのため見た目が悪く、靴下の裏表を間違えて履いているよう見え、着用者はそそっかしい人のように思われてしまう。更に、フィット感をよくするために裏糸としてポリウレタン弾性糸を芯糸としてナイロン加工糸などで芯糸をカバーしたカバードヤーンを使用した場合は、裏返したことによりカバードヤーンが靴下の外表面に現われることになる。しかし、このようなカバードヤーンはポリウレタン弾性糸が丈夫でないので、靴下の内側よりも外側の方が摩擦も大きく、硬いものなどとも擦れたりするために、通常よりも早く破損してしまうということが生じる。
【０００８】
また、特許文献２や特許文献３に開示されているような二重構造の靴下においては、保温効果や踵がカサカサにならないという効果を奏することができるが、二重構造であるため靴下が分厚くなってしまうという問題がある。靴下が分厚くなると通常履いている靴が履けなくなるという問題もある。また、二重構造のため内層と外層が離れておりブカブカした感じであり、見た目も悪くなるという問題がある。また冬場はこのような靴下でもよいが、夏用などのものとしては適していない。
【０００９】
本考案は、前述したような従来の問題を解決し、健康によい靴下で、しかも従来の靴下と同様に分厚くない靴下を提供するものである。
【課題を解決するための手段】
【００１０】
本考案は、編み糸を表糸とし、カバードヤーンを裏糸として、靴下の少なくとも足底部および足甲部が編成されており、前記カバードヤーンはポリウレタン弾性糸を芯糸とし、竹繊維を主とする糸が被覆糸として前記芯糸に巻き付けられた構成であり、靴下の足底部および足甲部の内面において前記竹繊維を主とする糸が現われていることを特徴とする靴下により前記目的を達成する。
。
【００１１】
また、本考案は編み糸を表糸とし、コアスパンヤーンを裏糸として、靴下の少なくとも足底部および足甲部が編成されており、前記コアスパンヤーンはポリウレタン弾性糸を芯糸とし、竹繊維を主とする短繊維を紡績中に前記芯糸のまわりに巻き付けた構成であり、靴下の足底部および足甲部の内面において、前記竹繊維を主とする短繊維が現われていることを特徴とする靴下により前記目的を達成する。
【００１２】
本考案においては、前記表糸と裏糸とが添え糸編によって編成されていることが好ましい。
【考案の効果】
【００１３】
本考案においては、編み糸を表糸とし、カバードヤーン（すなわち、芯糸にフィラメント糸または紡績糸を巻き付けた糸）またはコアスパンヤーン（すなわち、芯糸に他の繊維を紡績工程で鞘状に巻き付けた糸）を裏糸として、靴下の少なくとも足底部および足甲部が編成している。そして、本考案によれば、カバードヤーンは、ポリウレタン弾性糸を芯糸とし、竹繊維を主とする糸を芯糸の周りに巻き付ける被覆糸としたものを使用している。また、コアスパンヤーンの場合は、ポリウレタン弾性糸を芯糸とし、その周りに竹繊維を主とする短繊維を鞘状に巻き付けたものを使用している。本考案の靴下においては、裏糸における芯糸を被覆している糸や芯糸を被覆している繊維が靴下の内面に現われるが、本考案によれば、この現われている糸または繊維が竹繊維を主とするものであり、竹繊維の持つ抗菌作用などの特性を発揮させることができる。
【００１４】
従って、本考案によれば、竹繊維による天然の抗菌作用により雑菌の繁殖などを抑えることができ、そのため靴下が臭くなったりすることを防止することができる。
【００１５】
また、本考案の出願人が鋭意研究し、竹繊維の製品を着用した状態で、皮膚表面温度をサーモグラフィーで測定したり、血流速度および血流量の変化をレーザードップラー血流計で測定したところ、竹繊維に皮膚が触れていると血行がよくなり、皮膚温度が上ることが分った。本考案の靴下も履くと、血行がよくなり、足が温かくなった。冷え症の人などは足先が冷たくなって辛い思いをするが、本考案の靴下は着用すると足の血行がよくなるので、冷え症の人などには特に適したものである。また本考案の靴下は着用することにより血行がよくなるので、冬でも温かい感じがする。また、竹繊維は吸湿性もあるので、本考案の靴下は夏向きのものにも非常に適している。また、竹繊維は静電気が発生しないので、靴下を履いたり脱いだりする際に静電気による不快感を感じなくてよい。
【考案を実施するための最良の形態】
【００１６】
以下に、図面に示した実施例に基いて本考案を詳細に説明する。図１は本考案の靴下の一実施例の平面図であり、図２は編方の一実施例を示す平編の編み組織図である。
【００１７】
図１には本考案の靴下の実施例としてソックス１０を示している。なお、本考案の靴下は、ショートソックス、ハイソックスのみならず、編み糸と裏糸を使用して少なくとも足甲部および足底部を編成するものであればパンツ部を有するもの、例えばタイツ、も含むものである。
【００１８】
本考案においては靴下の編方は特に限定されないが、通常、図１に示すような爪先部１６、足底部１５および踵部１４は平編で編成されている場合が多く、足甲部１３およびレッグ部１２は平編、メッシュ編、リブ編、或いはこれらの組合わせから編成されることが多い。履き口部１１は一般的にはリブ編が多く、ゴム糸が更に使用されていることも多い。
【００１９】
本考案においては、少なくとも足底部１５と足甲部１３が編み糸（表糸）１とカバードヤーンまたはコアスパンヤーンからなる裏糸２を使用して編成される。靴下の他の部分（爪先部１６、レッグ部１２、踵部１４および履き口部１１）は同様に編み糸（表糸）１とカバードヤーンまたはコアスパンヤーンからなる裏糸２を使用して編成してもよいし、更に他の糸を補強用に追加したり、糸を変えたりしてもよい。また、履き口部１１にはゴム糸を挿入してもよい。
【００２０】
編み糸１は靴下を編む場合に主となる糸であり、靴下の表側に現われる表糸１となるものである。その素材としては合成繊維糸（ナイロンやポリエステル糸など）、綿糸、綿アクリル混紡糸、毛糸、毛アクリル混紡糸、絹アクリル混紡糸、など通常靴下に使われる糸を用いることができるが、竹繊維からなる糸、竹綿混紡糸など竹繊維を主とする糸を使用することが好ましい。
【００２１】
本考案においては、カバードヤーンまたはコアスパンヤーンが裏糸２として、編み糸１とともに編成される。本考案における裏糸２は、従来の靴下に使われているカバードヤーンと異なっており、芯糸であるポリウレタン弾性糸の周りを被覆する糸が合成繊維の加工糸ではなく、竹繊維を主とする糸が使用されている。竹繊維を主とする糸とは竹繊維を５０％より多く含む紡績糸であり、好ましくは６０％以上、より好ましくは７０％以上竹繊維を含む紡績糸であり、竹繊維のみからなる糸でもよい。竹繊維と混紡する繊維は綿、麻等の天然繊維が好ましいが、アクリル繊維などの合成繊維と混紡して糸としてもよい。竹繊維が６５〜８５％、綿繊維が３５〜１５％のものは竹繊維の特性を発揮させると共に綿繊維により強度が得られ、静電気も生じず、吸湿性もあり、好ましいものである。
【００２２】
本考案におけるカバードヤーンは、竹繊維を主とする糸が芯糸であるポリウレタン弾性糸のまわりに１本巻き付いているシングルカバードヤーンでもよいし、Ｓ撚とＺ撚で二重に巻き付けたダブルカバードヤーンでもよい。本考案のカバードヤーンはカバーリング時に芯糸となるポリウレタン弾性糸を３〜５倍程度のドラフトをかけておき、その周りに竹繊維を主とする糸を巻き付けることにより製造される。
【００２３】
また、本考案のコアスパンヤーンは、竹繊維を主とする短繊維を糸にするための紡績工程（精紡中）において、ポリウレタン弾性糸を供給して、竹繊維を主とする短繊維がポリウレタン弾性糸を被覆するようにしながら糸としたものである。竹繊維を主とする短繊維は竹繊維を５０％より多く含み、好ましくは６０％以上、より好ましくは７０％以上竹繊維を含む。竹繊維のみからなるものでもよい。竹繊維と混紡する繊維は綿、麻等の天然繊維が好ましいが、アクリル繊維などの合成繊維と混紡してもよい。竹繊維が６５〜８５％、綿繊維が３５〜１５％のものは竹繊維の特性を発揮させると共に綿繊維により強度が得られるので好ましい。
【００２４】
本考案においては先に説明したように編み方は特に限定されないが、図２に示すように、表糸１と裏糸２を同時に編成する添え糸編で編成することが好ましい。添え糸編で編成すると、表糸１が靴下の外面に現われ、裏糸２が靴下の内面全体に現われる。従って、本考案では裏糸２として竹を主とした糸を被覆糸として用いたカバードヤーン或いは竹を主とした短繊維をポリウレタン弾性糸のまわりに被覆したコアスパンヤーンを用いる。このようにすることにより、靴下の内面には竹を主とする竹繊維が全面的に現われるので竹繊維の持つ特徴を生かすことができる。
【００２５】
足底部１５は図２に示すような添え糸編による平編によって編成するが、足甲部１３は平編でなく、メッシュ編やリブ編などとしてもよい。その場合も表糸１と本考案の裏糸２を同時に編成する添え糸編とすることが好ましい。また、他の部分（爪先部１６、レッグ部１２、踵部１４および履き口部１１）も本考案の裏糸２を用いた添え糸編とすることが好ましい。
【実施例】
【００２６】
表糸として竹繊維７０％、綿３０％からなる紡績糸で４０番手双糸を使用した。裏糸として竹繊維を主とする糸を被覆糸としたカバードヤーンを使用した。このカバードヤーンは、太さが４０デニールのポリウレタン弾性糸を芯糸とし、竹７０％、綿３０％を混紡した紡績糸であり、３２番手の単糸を被覆糸として、被覆糸１本をシングルカバーで芯糸に巻き付けたものを使用した。出来上がったカバードヤーンにおいて１ｍのポリウレタン弾性糸に対して３ｍの竹繊維を主とする糸が巻き付けられていた。このような表糸および裏糸を用いて、レッグ部１２、足甲部１３、踵部１４、足底部１５、爪先部１６を全て表糸と裏糸による添え糸編で平編とし、履き口部１１を表糸と裏糸による添え糸編でリブ編とした。この際、爪先部および踵部はポリエステル糸を補強用糸として加えている。編み上がった靴下は内面に竹繊維が現われ、表側も竹繊維を主とする糸からなるものであり、非常に感触もよいものであった。そして、この靴下を着用したところ、吸湿性もよく、また抗菌作用もあるので、履いていても足の蒸れた臭いがしなかった。また、血行がよくなり温かな感じがあった。靴下を着脱するときも、履いてる最中も静電気が生じず起きず感じのよいものであった。
【図面の簡単な説明】
【００２７】
【図１】本考案の靴下の一実施例の平面図である。
【図２】編方の一実施例を示す平編の編み組織図である。
【符号の説明】
【００２８】
１  表糸
２  裏糸
１０  ソックス
１１  履き口部
１２  レッグ部
１３  足甲部
１４  踵部
１５  足底部
１６  爪先部
【図１】
0003122471.tif 000003
【図２】
0003122471.tif 000004